(57)【要約】【課題】  合わせ部での突っ張り感と固着現象の減少を図りながら、釣竿の軽量化にも奇与できるものを提供する点にある。【解決手段】  印籠芯材５を元竿４の玉口内に固定するとともにその元竿４より三番竿３に向けて突出しその突出部分を三番竿に挿脱自在に構成してある。印籠芯材５の突出部分における軸線方向中間の外周面に、印籠芯材５の外径を縮小する小径部５Ａを形成して肉ぬすみ部を構成してある。【選択図】        図２
2006187240.tif 000002
【特許請求の範囲】
【請求項１】
印籠芯材を竿先側竿体と竿尻側竿体との一方の竿体内に固定するとともにその竿体内より相手側の竿体に向けて突出しその突出部分を相手側竿体内に挿脱自在に構成してある印籠継式釣竿であって、前記印籠芯材の前記突出部分における軸線方向中間位置の外周面に、前記印籠芯材の外径を縮小する肉ぬすみ部を形成してある印籠継式釣竿。
【請求項２】
印籠芯材を竿先側竿体と竿尻側竿体との一方の竿体内に固定するとともにその竿体内より相手側の竿体に向けて突出しその突出部分を相手側竿体内に挿脱自在に構成してある印籠継式釣竿であって、前記印籠芯材における前記一方の竿体内に固定された基端部分における軸線方向中間位置の外周面に、他の部分に比べて小径の肉ぬすみ部を形成してある印籠継式釣竿。
【請求項３】
印籠芯材を竿先側竿体と竿尻側竿体との一方の竿体内に固定するとともにその竿体内より相手側の竿体に向けて突出しその突出部分を相手側竿体内に挿脱自在に構成してある印籠継式釣竿であって、前記印籠芯材の前記突出部分における軸線方向中間位置の外周面に、前記印籠芯材の外径を縮小する肉ぬすみ部を形成するとともに、前記印籠芯材における前記一方の竿体内に固定された基端部分における軸線方向中間位置の外周面に、他の部分に比べて小径の肉ぬすみ部を形成してある印籠継式釣竿。
【請求項４】
前記肉ぬすみ部が、螺旋溝である請求項１〜３のうちのいずれかひとつに記載の印籠継式釣竿。
【請求項５】
前記肉ぬすみ部が、ローレット加工面である請求項１〜３のうちのいずれかひとつに記載の印籠継式釣竿。
【請求項６】
前記肉ぬすみ部が、円周方向の少なくとも一箇所において円周方向の一定範囲でかつ軸線方向の一定範囲に亘って形成された凹入切欠き部である請求項１〜３のうちのいずれかひとつに記載の印籠継式釣竿。
【請求項７】
前記肉ぬすみ部が、軸線方向に沿って複数個形成された環状溝である請求項１〜３のうちのいずれかひとつに記載の印籠継式釣竿。
【発明の詳細な説明】
【技術分野】
【０００１】
本発明は、印籠芯材を竿先側竿体と竿尻側竿体との一方の竿体内に固定するとともにその竿体内より相手側の竿体に向けて突出しその突出部分を相手側竿体内に挿脱自在に構成してある印籠継式釣竿に関する。
【背景技術】
【０００２】
印籠継式釣竿において、印籠芯材は円柱状に形成されていた（特許文献１、特許文献２参照）。
【０００３】
【特許文献１】特開２００２−１１９１８４号公報（段落番号〔００１６〕及び、図２，３）
【特許文献２】特開２０００−３２８８１号（段落番号〔００１０〕及び、図１）
【発明の開示】
【発明が解決しようとする課題】
【０００４】
印籠芯材が円柱状に形成されているために、相手側の竿体内に挿入されて相手側竿体の内周面に密着した結合状態であれば、その繋ぎ部分（合わせ部分）は相手側竿体と印籠芯材とが二重構造となる為に、この部分の断面二次モーメントが局部的に増大し、釣操作を行う際にこの繋ぎ部分で竿の曲率が滑らかに繋がらない状態になり、突っ張り感を大きくしていた。
また、印籠芯材が相手側の竿体内に挿入されて相手側竿体の内周面に密着した結合状態となるので、釣操作する間に印籠芯材の相手側竿体への結合状態がより強固になる固着現象を生じ、印籠芯材を相手側竿体から抜き出す際に難儀をすることがあった。
さらには、軽量化の要請にも反するものである。
【０００５】
本発明の目的は、印籠芯材の外周面に簡単な構造を加えることによって、合わせ部での突っ張り感の減少、固着現象の減少、竿の軽量化を達成できる印籠継式釣竿を提供する点にある。
【課題を解決するための手段】
【０００６】
〔構成〕
請求項１に係る発明の特徴構成は、前記印籠芯材の前記突出部分における軸線方向中間位置の外周面に、前記印籠芯材の外径を縮小する肉ぬすみ部を形成してある点にあり、その作用効果は次の通りである。
【０００７】
〔作用〕
つまり、印籠芯材の突出部分に肉ぬすみ部を形成することによって、その突出部分が相手側竿体内に挿入された場合には、肉ぬすみ部は小径に形成されているので、相手側竿体の内周面には接触しない。
一方、肉ぬすみ部以外の部分が相手側竿体の内周面に密着する。
したがって、竿先側竿体と竿尻側竿体との接続状態は、印籠芯材の肉ぬすみ部以外の部分の密着状態で達成される。
【０００８】
〔効果〕
これによって、合わせ部における二重構造に起因する断面二次モーメントの高い状態が肉ぬすみ部によって軽減され、突っ張り感を減少させることができる。
印籠芯材と相手側竿体との接触面積を肉ぬすみ部の形成によって低減できたので、印籠芯材と相手側竿体との固着現象を低減できる。
肉ぬすみ部で小径化できたので、印籠芯材の軽量化が図れ、釣竿の軽量化を達成できる。
しかも、竿先側竿体と竿尻側竿体との接続状態は、肉ぬすみを施していない部分の密着状態でも十分に達成できる。
【０００９】
請求項２に係る発明の特徴構成は、印籠芯材を竿先側竿体と竿尻側竿体との一方の竿体内に固定するとともにその竿体内より相手側の竿体に向けて突出しその突出部分を相手側竿体内に挿脱自在に構成してある印籠継式釣竿であって、前記印籠芯材における前記一方の竿体内に固定された基端部分における軸線方向中間位置の外周面に、他の部分に比べて小径の肉ぬすみ部を形成してある点にあり、その作用効果は次の通りである。
【００１０】
〔作用効果〕
請求項１においては、印籠芯材における相手側竿体内に挿入される突出部分に肉ぬすみ部を形成したが、この請求項２では、印籠芯材自体が一方の竿体内に固定されている基端部分に肉ぬすみ部を設ける。これによって、印籠芯材の基端部と一方の竿体との断面二次モーメントが低減され、前記した突っ張り感が低減されるとともに、釣竿の軽量化が達成される。
【００１１】
請求項３に係る発明の特徴構成は、前記印籠芯材の前記突出部分における軸線方向中間位置の外周面に、前記印籠芯材の外径を縮小する肉ぬすみ部を形成するとともに、前記印籠芯材における前記一方の竿体内に固定された基端部分における軸線方向中間位置の外周面に、他の部分に比べて小径の肉ぬすみ部を形成してある点にあり、その作用効果は次の通りである。
【００１２】
〔作用〕
つまり、印籠芯材の突出部分に肉ぬすみ部を形成することによって、その突出部分が相手側竿体内に挿入された場合には、肉ぬすみ部は小径に形成されているので、相手側竿体の内周面には接触しない。
一方、肉ぬすみ部以外の部分が相手側竿体の内周面に密着する。
したがって、竿先側竿体と竿尻側竿体との接続状態は、印籠芯材の肉ぬすみ部以外の部分の密着状態で達成される。
しかも、基端部分にも肉ぬすみ部を設けている。
【００１３】
〔効果〕
これによって、合わせ部における二重構造の状態が肉ぬすみ部によって軽減され、突っ張り感を減少させることができる。特に、一方の竿体と相手側竿体との両方の部分で肉ぬすみ部が断面二次モーメントの低減に奇与するので、一層、突っ張り感を低減させることができる。
印籠芯材と相手側竿体との接触面積を肉ぬすみ部の形成によって低減できたので、印籠芯材と相手側竿体との固着現象を低減できる。
肉ぬすみ部で小径化できたので、印籠芯材の軽量化が図れ、釣竿の軽量化を達成できる。
【００１４】
請求項４に係る発明の特徴構成は、前記肉ぬすみ部が、螺旋溝である点にあり、その作用効果は次の通りである。
【００１５】
〔作用〕
つまり、印籠芯材の突出部分に螺旋溝を形成することによって、その突出部分が相手側竿体内に挿入された場合には、螺旋溝の部分は小径に形成されているので、相手側竿体の内周面には接触しない。
一方、螺旋溝以外の部分が相手側竿体の内周面に密着する。
したがって、竿先側竿体と竿尻側竿体との接続状態は、螺旋溝以外の部分の密着状態で達成される。
しかも、基端部分にも螺旋溝を設けている。
【００１６】
〔効果〕
これによって、合わせ部における二重構造の状態が螺旋溝によって軽減され、突っ張り感を減少させることができる。特に、一方の竿体と相手側竿体との両方の部分で螺旋溝部が断面二次モーメントの低減に奇与するので、一層、突っ張り感を低減させることができる。
印籠芯材と相手側竿体との接触面積を螺旋溝の形成によって低減できたので、印籠芯材と相手側竿体との固着現象を低減できる。
【００１７】
請求項５に係る発明の特徴構成は、前記肉ぬすみ部が、ローレット加工面である点にあり、その作用効果は次の通りである。
【００１８】
〔作用効果〕
請求項４に係る発明が奏する作用効果と同一である。
【００１９】
請求項６に係る発明の特徴構成は、前記肉ぬすみ部が、円周方向の少なくとも一箇所において円周方向の一定範囲でかつ軸線方向の一定範囲に亘って形成された凹入切欠き部である点にあり、その作用効果は次の通りである。
【００２０】
〔作用効果〕
請求項４に係る発明が奏する作用効果と同一である。とくに、肉ぬすみ部が、円周方向の少なくとも一箇所において円周方向の一定範囲でかつ軸線方向の一定範囲に亘って形成された凹入切欠き部であるので、印籠芯材の相手側竿体の内周面との接触面積を大きく低減でき、固着現象を減少させるのに効果が上がる。
【００２１】
請求項７に係る発明の特徴構成は、前記肉ぬすみ部が、軸線方向に沿って複数個形成された環状溝である点にあり、その作用効果は次の通りである。
【００２２】
〔作用効果〕
請求項４に係る発明が奏する作用効果と同一である。
【発明を実施するための最良の形態】
【００２３】
〔第１実施形態〕
図１に示すように、トップガイド１Ａと中間ガイド１Ｂとを備えた穂先竿１、中間ガイド２Ａを備えた二番竿２、中間ガイド３Ａを備えた三番竿３、中間ガイド４Ａとリールシート４Ｂを備えた元竿４によって、印籠継式釣竿Ａを構成してある。二番竿２、三番竿３、元竿４の玉口には、夫々、印籠芯材５が突設してあり、印籠継ぎを可能にしてある。
印籠芯材５は、竿体と同様に、炭素繊維等の強化繊維にエポキシ等の熱硬化性樹脂を含浸させたプリプレグより形成された中実状又は筒状の柱状体を呈するものである。
【００２４】
印籠芯材５の取付構造について説明する。印籠芯材５は、互いに接合される竿先側竿体と竿尻側竿体とにおける竿尻側竿体の玉口に固定されている。ここでは、便宜上、竿尻側竿体を元竿４、竿先側竿体を三番竿３で説明する。
図２に示すように、印籠芯材５としては一定の長さを有する円柱状部材を採用し、その円柱状部材の軸線方向中間位置にその軸線方向一定範囲に亘って小径部５Ａを形成し、肉ぬすみ部を設けてある。残余の部分は円柱状部材自体の外径を維持している基端部５Ｂとする。
【００２５】
図２（イ）に示すように、このような形状を採る印籠芯材５の基端部５Ｂを元竿４の玉口内に挿入し接着固定する。元竿４はプリプレグを所定の製法で製造されるが、玉口部分は軸線方向の一定長さに亘って一定内径のものに形成されている。元竿４に接着固定された印籠芯材５を竿先側に突出させ、突出部分に前記した小径部５Ａが位置するようになっている。小径部５Ａよりさらに先端側には大径部５Ｃが残されており、図２（ロ）に示すように、その大径部５Ｃと小径部５Ａとを三番竿３の竿尻部内に挿入して、大径部５Ｃを三番竿３の内周面に圧接させて、継ぎ状態を維持する構成となっている。
【００２６】
前記した印籠芯材５は、外周面を一定の外径で形成するものを前提として説明されているが、元竿４に挿入固定される基端部側程大径となるように、外周面を傾斜面に形成してもよい。このように傾斜部分を持って形成した印籠芯材５に対して前記したように小径部５Ａを形成する。これによって、プリプレグを所定の傾斜面を備えたマンドレルに巻回して作成される竿体の内周面に沿った形状となる。これによって、印籠芯材５の大径部５Ｃの三番竿３の内周面に対する密着性が良好である。
【００２７】
〔第２実施形態〕
ここで説明するものは、第１実施形態で説明したものに、さらに、基端部５Ｂにも小径部５Ａを設けるようにする。つまり、図３に示すように、元竿４の玉口内に位置する基端部５Ｂにも小径部５Ａを形成し、主として、突っ張り感の低減を図ることにする。このように、小径部５Ａを二箇所に設けることによって、大径部５Ｃが３箇所形成されることになり、先端側の大径部５Ｃは三番竿３の竿尻側の内周面に圧接して接続状態を維持し、基端側の大径部５Ｃは元竿４の玉口側の内周面に接着固定され、中間の大径部５Ｃは一部が元竿４の玉口に固定され、先端側の一部は三番竿の竿尻部に対して挿入離脱可能で挿入状態で圧接される。
【００２８】
〔第３実施形態〕
ここで説明するものは、肉ぬすみ部として螺旋溝５Ｄを形成したものを説明する。つまり、図４に示すように、元竿４に接着固定された印籠芯材５を竿先側に突出させ、突出部分に前記した螺旋溝５Ｄが位置するようになっている。螺旋溝５Ｄよりさらに先端側には大径部５Ｃが残されており、その大径部５Ｃと螺旋溝５Ｄとを三番竿３の竿尻部内に挿入して、螺旋溝５Ｄを施していない大径部５Ｃを三番竿３の内周面に圧接させて、継ぎ状態を維持する構成となっている。
なお、図示はしていないが、第２実施形態で示したように、螺旋溝５Ｄを元竿４内に位置する基端部５Ｂの外周面にも施してもよい。
【００２９】
〔第４実施形態〕
ここで説明するものは、肉ぬすみ部としてローレット加工部５Ｅを形成したものを説明する。つまり、図５に示すように、元竿４に接着固定された印籠芯材５を竿先側に突出させ、突出部分に前記したローレット加工部５Ｅが位置するようになっている。ローレット加工部５Ｅよりさらに先端側には大径部５Ｃが残されており、その大径部５Ｃとローレット加工部５Ｅとを三番竿３の竿尻部内に挿入して、ローレット加工を施していない大径部５Ｃを三番竿３の内周面に圧接させて、継ぎ状態を維持する構成となっている。
なお、図示はしていないが、第２実施形態で示したように、ローレット加工部５Ｅを元竿４内に位置する基端部５Ｂの外周面にも施してもよい。
【００３０】
〔第５実施形態〕
図６に示すように、印籠芯材５としては一定の長さを有する円柱状部材を採用し、その円柱状部材の外周面に前記円柱状部材の中心に向かって入り込む凹入切欠き部５Ｆ，５Ｆを設けてある。凹入切欠き部５Ｆ、５Ｆは、円柱状部材の軸線方向の一定範囲でかつ円周方向の一定範囲に亘って切り取られたもので、肉ぬすみ部を形成している。凹入切欠き部５Ｆとしては、１８０°対角位置に設けたが、円周方向の１箇所でもよく、或いは、円周方向の３箇所でもよい。
凹入切欠き部５Ｆよりさらに先端側には大径部５Ｃが残されており、その大径部５Ｃと凹入切欠き部５Ｆとを三番竿３の竿尻部内に挿入して、凹入切欠き加工を施していない大径部５Ｃを三番竿３の内周面に圧接させて、継ぎ状態を維持する構成となっている。
なお、図示はしていないが、第２実施形態で示したように、凹入切欠き部５Ｆを元竿４内に位置する基端部５Ｂの外周面にも施してもよい。
【００３１】
〔第６実施形態〕
ここで説明するものは、肉ぬすみ部として複数本の環状溝５Ｇを形成したものを説明する。つまり、図７に示すように、元竿４に接着固定された印籠芯材５を竿先側に突出させ、突出部分に前記した環状溝５Ｇが位置するようになっている。環状溝５Ｆよりさらに先端側には大径部５Ｃが残されており、その大径部５Ｃと環状溝５Ｆとを三番竿３の竿尻部内に挿入して、環状溝５Ｇを施していない大径部５Ｃを三番竿３の内周面に圧接させて、継ぎ状態を維持する構成となっている。
なお、図示はしていないが、第２実施形態で示したように、環状溝５Ｇを元竿４内に位置する基端部５Ｂの外周面にも施してもよい。
【００３２】
〔別実施形態〕
（１）  印籠芯材５として，各竿尻側竿体の玉口から突出させる構成を採っているが、竿先側竿体の竿尻端から突出させる構成を採ってもよい。
（２）  上記した実施形態のものは、リールを使用しない鮎竿等に適用してもよい。
（３）  上記した構成では、肉ぬすみ部を形成するのに、小径部５Ａ等を採用するものについて記載したが、元竿４から突出する部分と基端部とに設ける肉ぬすみ部としては同一の形状のもの、例えば、小径部５Ａであればいずれの部分も小径部５Ａを採用しているが、前記した５つの形状のもののうち異なる形状のものを組み合わせてもよい。
例えば、図８に示すように、突出部分に小径部５Ａを設け、基端部にはローレット加工部５Ｅを設けてよい。又は、図９に示すように、突出部分に環状溝５Ｇを設け、基端部には凹入切欠き部５Ｆを設けてよい。
これらの組み合わせは、合わせ部での固着具合や突っ張り感、或いは、軽量化のいずれに重点を置くかによって自由に選択が可能である。
【図面の簡単な説明】
【００３３】
【図１】印籠継式釣り竿を示す分解側面図
【図２】肉ぬすみ部として小径部を形成した印籠芯材を竿体に装着するものを示し、（イ）は連結する前の状態を示す縦断側面図、（ロ）は連結する前の状態を示す縦断側面図
【図３】肉ぬすみ部として小径部を二箇所形成した印籠芯材を竿体に装着するものを示し、（イ）は連結する前の状態を示す縦断側面図、（ロ）は連結する前の状態を示す縦断側面図
【図４】肉ぬすみ部として螺旋溝を形成した印籠芯材を竿体に装着するものを示し、（イ）は連結する前の状態を示す縦断側面図、（ロ）は連結する前の状態を示す縦断側面図
【図５】肉ぬすみ部としてローレット加工部を形成した印籠芯材を竿体に装着するものを示し、（イ）は連結する前の状態を示す縦断側面図、（ロ）は連結する前の状態を示す縦断側面図
【図６】肉ぬすみ部として凹入切欠き部を形成した印籠芯材を竿体に装着するものを示し、（イ）は連結する前の状態を示す縦断側面図、（ロ）は連結する前の状態を示す縦断側面図
【図７】肉ぬすみ部として環状溝を形成した印籠芯材を竿体に装着するものを示し、（イ）は連結する前の状態を示す縦断側面図、（ロ）は連結する前の状態を示す縦断側面図
【図８】肉ぬすみ部として小径部とローレット加工部を形成した印籠芯材を示す側面図
【図９】肉ぬすみ部として環状溝と凹入切欠き部を形成した印籠芯材を示す側面図
【符号の説明】
【００３４】
１，２，３      竿先側竿体
２，３，４      竿尻側竿体
５              印籠芯材
５Ａ            小径部
５Ｂ            基端部
５Ｃ            大径部
５Ｄ            螺旋溝
５Ｅ            ローレット加工部
５Ｆ            凹入切欠き部
５Ｇ            環状溝
【図１】
2006187240.tif 000003
【図２】
2006187240.tif 000004
【図３】
2006187240.tif 000005
【図４】
2006187240.tif 000006
【図５】
2006187240.tif 000007
【図６】
2006187240.tif 000008
【図７】
2006187240.tif 000009
【図８】
2006187240.tif 000010
【図９】
2006187240.tif 000011